(57)【要約】【課題】照明部の点灯のための操作を不要にしつつ、表示部に表示されている照度を示す数値を確実に視認可能にする。【解決手段】受光部２、ホールドキー１１を有する操作部３、表示画面を有する表示部４、表示画面を照明する照明部５、および処理部６を備え、処理部６が、測定処理を繰り返し実行して新たな照度値ＩＬを測定しつつ、検査処理において検出した操作部３に対する操作内容に基づいて、新たに測定した照度値ＩＬを表示画面に更新表示させる更新表示動作と、新たに測定した照度値ＩＬ以外の情報を表示画面に表示させる非更新表示動作とを切り替えて実行する。また、処理部６は、照明部５による表示画面の照明の実行および照明の停止を制御する照明制御処理であって、非更新表示動作中で、かつ新たに測定した照度値ＩＬが第１しきい値以下の状態のときに照明部５に照明を実行させる照明制御処理を実行する。【選択図】図１
2015224913.tif 000002
【特許請求の範囲】
【請求項１】
外部からの光を受光すると共に当該受光した光の照度を表す照度信号を出力する受光部と、操作部と、表示画面を有する表示部と、前記照度信号に基づいて前記受光した光の照度を測定する測定処理、前記表示部に対して前記表示画面に情報を表示させる表示処理、および前記操作部が操作されたことを検出する検出処理を実行する処理部とを備え、
前記処理部が、前記測定処理を繰り返し実行して新たな前記照度を測定しつつ、前記検出処理において検出した前記操作部に対する操作内容に基づいて、前記測定した新たな照度を示す数値を現在照度を表す前記情報として前記表示画面に更新表示させる前記表示処理を実行する更新表示動作と、前記現在照度以外の情報を前記情報として前記表示画面に表示させる前記表示処理を実行する非更新表示動作とを切り替えて実行する照度計であって、
前記表示画面を照明する照明部を備え、
前記処理部は、前記照明部による前記表示画面の照明の実行および照明の停止を制御する照明制御処理であって、前記非更新表示動作中で、かつ前記測定した新たな照度を示す数値が予め規定されたしきい値以下のときに当該照明部に対して前記照明を実行させる照明制御処理を実行する照度計。
【請求項２】
前記しきい値として、第１しきい値と当該第１しきい値よりも高い第２しきい値とが規定され、
前記処理部は、前記照明制御処理において、前記非更新表示動作中で、かつ前記測定した新たな照度を示す数値が前記第１しきい値以下のときに当該照明部に対して前記照明を実行させ、当該非更新表示動作中で、かつ前記測定した新たな照度を示す数値が前記第２しきい値以上のときに当該照明部に対して前記照明を停止させる請求項１２記載の照度計。
【請求項３】
前記処理部は、前記照明制御処理において、前記更新表示動作を開始したときに前記照明部に対して前記照明を停止させる請求項１または２記載の照度計。
【発明の詳細な説明】
【技術分野】
【０００１】
本発明は、受光部を備えて照度を測定する照度計に関するものである。
【背景技術】
【０００２】
この種の照度計として、本願出願人は下記の特許文献１に開示の照度計を既に提案している。この照度計は、外部から光を受ける受光部と、その受光から照度を測定する計測部と、その照度を液晶画面に表示する表示部と、その表示部の液晶画面を照明するライト（照明部）と、その照度の表示値（照度を示す）を自在に保持可能にし、かつライトを自在に点灯、消灯する単一のホールドライトキーを有する操作部とを備えている。また、この照度計では、計測部は、マイクロコンピュータを備えて構成されて、照度を計測して表示部にリアルタイムで表示する処理と共に、ホールドバックライト処理ルーチンを実行する。
【０００３】
この照度計では、計測部がこのホールドバックライト処理ルーチンを実行することにより、ホールドライトキーが押下されたときには、そのときに表示部に表示されている表示値（計測した照度を示す値）がホールドされる。また、この表示値のホールド状態において、ホールドライトキーを１秒以上押下し続けたときには、ライトが点灯される。一方、表示値のホールド状態において、ホールドライトキーの押下時間が１秒未満のときには、ライトは点灯されない。
【０００４】
この照度計によれば、単一のホールドライトキーを備え、そのホールドライトキーを押す操作時間を一定時間（例えば、上記のように１秒）未満あるいは一定時間以上にすることにより、照度の表示値の保持、照度の表示値の保持状態の解除、ライトの点灯等の各単一動作、ライトの消灯と照度の表示値の保持状態の解除との関連動作を行えるため、優れた操作性を実現することが可能になっている。しかも、ライトを点灯させる場合には、常に照度の表示値の保持動作が先に行われることになるため、ライトの光による誤測定を確実に防止することも可能になっている。
【先行技術文献】
【特許文献】
【０００５】
【特許文献１】特許第３４２１１５７号公報（第４−５頁、第６−９図）
【発明の概要】
【発明が解決しようとする課題】
【０００６】
ところが、この照度計には、以下のような改善すべき課題が存在している。すなわち、この照度計では、ホールドライトキーの押下時間（上記の例では１秒以上の押下時間）がライト（照明部）の点灯条件になっている。このため、照度計には、ライトの点灯操作には少なくともこの押下時間が必要になるため、その分だけライトの点灯までに要する操作時間が長くなるという改善すべき課題がある。また、単一のホールドライトキーに対して予め規定された操作を実行して初めてライトを点灯させることができる構成のため、作業者は、ホールドライトキーに対する操作方法を覚えていなければ、ライトを点灯させることができないという改善すべき課題もある。さらに、ホールドライトキーを押下して、表示部に表示されている照度の表示値を保持させた後に、誤って一定時間に達する前にホールドライトキーの押下を中止した場合において、その後に、ライトを点灯させて表示部に表示されている照度の表示値を確認しようとしたときには、ホールドライトキーを再度、押下することになるため、最初に保持した表示値は、ホールドライトキーを再度押下したときの表示値で更新される。このため、ライトを点灯させた状態で、最初に保持した表示値を確認することができないという改善すべき課題も存在している。
【０００７】
本発明は、かかる課題を改善すべくなされたものであり、照明部の点灯のための操作を不要にしつつ、表示部に表示されている照度を示す数値などの情報を確実に視認し得る照度計を提供することを主目的とする。
【課題を解決するための手段】
【０００８】
上記目的を達成すべく、請求項１記載の照度計は、外部からの光を受光すると共に当該受光した光の照度を表す照度信号を出力する受光部と、操作部と、表示画面を有する表示部と、前記照度信号に基づいて前記受光した光の照度を測定する測定処理、前記表示部に対して前記表示画面に情報を表示させる表示処理、および前記操作部が操作されたことを検出する検出処理を実行する処理部とを備え、前記処理部が、前記測定処理を繰り返し実行して新たな前記照度を測定しつつ、前記検出処理において検出した前記操作部に対する操作内容に基づいて、前記測定した新たな照度を示す数値を現在照度を表す前記情報として前記表示画面に更新表示させる前記表示処理を実行する更新表示動作と、前記現在照度以外の情報を前記情報として前記表示画面に表示させる前記表示処理を実行する非更新表示動作とを切り替えて実行する照度計であって、前記表示画面を照明する照明部を備え、前記処理部は、前記照明部による前記表示画面の照明の実行および照明の停止を制御する照明制御処理であって、前記非更新表示動作中で、かつ前記測定した新たな照度を示す数値が予め規定されたしきい値以下のときに当該照明部に対して前記照明を実行させる照明制御処理を実行する。
【０００９】
請求項２記載の照度計は、請求項１記載の照度計において、前記しきい値として、第１しきい値と当該第１しきい値よりも高い第２しきい値とが規定され、前記処理部は、前記照明制御処理において、前記非更新表示動作中で、かつ前記測定した新たな照度を示す数値が前記第１しきい値以下のときに当該照明部に対して前記照明を実行させ、当該非更新表示動作中で、かつ前記測定した新たな照度を示す数値が前記第２しきい値以上のときに当該照明部に対して前記照明を停止させる。
【００１０】
請求項３記載の照度計は、請求項１または２記載の照度計において、前記処理部は、前記照明制御処理において、前記更新表示動作を開始したときに前記照明部に対して前記照明を停止させる。
【発明の効果】
【００１１】
請求項１記載の照度計では、処理部が、照明部による表示画面の照明の実行および照明の停止を制御する照明制御処理であって、非更新表示動作中で、かつ新たに測定した照度を示す数値がしきい値以下の状態のときに照明部に対して照明を実行させる照明制御処理を実行する。したがって、この照度計によれば、照度計の周囲の明るさが、操作者が表示部の表示画面に表示されている数値を視認し得るぎりぎりの明るさに低下したときに、非更新表示動作中であれば、照明のための操作を手動で行うことなく、表示画面を照明部によって自動的に照明することができる。これにより、この照度計によれば、例えば、照度を示す数値が表示画面に更新されずに表示されているという非更新表示動作中において、照度計の周囲の明るさが低下している場合であっても、この照度を示す数値を確実に視認することができる。
【００１２】
また、請求項２照度計によれば、処理部が第１しきい値および第２しきい値の２つのしきい値と、測定されている現在の照度を示す数値との比較に基づいて、照明部に対する点灯・消灯の制御を実行することにより、照度を示す数値が第１しきい値以下となって照明部が点灯された状態において、照度計の周囲の明るさが若干ばらついたとしても、測定している照度を示す数値が第２しきい値以上になるまでは、照明部を点灯状態に安定して維持することができる。このため、照度計の周囲の明るさのばらつきに起因して、照明部が点灯・消灯を短時間に繰り返すといった好ましくない状態の発生を回避することができる。
【００１３】
請求項３記載の照度計によれば、処理部が更新表示動作を開始したときに照明部を消灯させる制御を実行するため、更新表示動作中での照明部からの受光部への光の漏れ込みを防止して照度を正確に測定することができる。
【図面の簡単な説明】
【００１４】
【図１】照度計１の構成を示す構成図である。
【図２】照度計１の動作を説明するためのフローチャートである。
【発明を実施するための形態】
【００１５】
以下、照度計の実施の形態について、添付図面を参照して説明する。
【００１６】
まず、図１を参照して、照度計の一例としての照度計１の構成について説明する。照度計１は、一例として、受光部２、操作部３、表示部４、照明部５、処理部６および不図示の筐体を備え、受光部２で受光した外部からの光についての照度を測定すると共に、測定した照度を示す数値（以下、照度値ＩＬともいう）を表示部４に表示可能に構成されている。なお、一例として、筐体は、片手で持つことが可能な箱状のハンディタイプに構成されて、受光部２、操作部３および表示部４が同じ１つの壁面（正面壁）に配置され、照明部５および処理部６は筐体の内部に配置されている。
【００１７】
受光部２は、光電管や、フォトダイオードなどの光電変換素子を受光センサとして備えて、外部からの光を受光センサで受光すると共に、この受光した光の照度を表す照度信号Ｓ１を出力する。この場合、受光部２は、アンプを内蔵して、受光センサから出力されるアナログ信号をこのアンプで増幅して、アナログ信号のまま照度信号Ｓ１として出力する構成を採用することもできるし、Ａ／Ｄ変換器を内蔵して、受光センサから出力されるアナログ信号をこのＡ／Ｄ変換器でデジタル信号に変換し、このデジタル信号を照度信号Ｓ１として出力する構成を採用することもできる。
【００１８】
操作部３は、例えば、ホールドキー１１や、処理部６に対してメモリ動作、タイマー動作およびゼロアジャスト動作などの各種の動作（後述する現在照度を示す数値以外の情報を表示部４に表示させる動作）を実行させるための不図示の実行キーおよびこれら各種の動作の実行を停止させるための不図示の停止キー（例えば、エスケープキーなど）を備え、いずれのキーに対する操作が行われたかを示す（操作部３に対する操作内容を示す）操作信号Ｓ２を出力する。表示部４は、例えば、液晶ディスプレイなどの非自発光型のディスプレイで構成されて、測定した光の照度についての照度値ＩＬを不図示の表示画面に表示可能に構成されている。
【００１９】
照明部５は、発光ダイオードやＥＬ（ElectroLuminescence ）パネルなどで構成されて、処理部６によって点灯状態・消灯状態のいずれかの状態に制御される。また、照明部５は、点灯状態のときに表示部４の表示画面に照明光を照射して表示画面を照明する。また、照明部５は、一例として、筐体内における表示部４の側方や裏面側など、表示部４の表示画面を照明可能な位置に配設されている。
【００２０】
処理部６は、コンピュータを備えて構成されて、測定処理、表示処理、検出処理および照明制御処理を実行する。この場合、処理部６は、測定処理では、受光部２からの照度信号Ｓ１に基づいて、受光部２で受光した光の照度を測定する（具体的には、この照度を示す照度値ＩＬを算出する）。表示処理では、処理部６は、表示画面に表示させる情報を表示部４に出力することにより、表示部４に対してこの情報を表示画面に表示させる。この照度計１では、照度値ＩＬや、メモリ動作、タイマー動作およびゼロアジャスト動作などの各種の動作中に表示される数値や文字などが、この情報として処理部６から表示部４に出力される。
【００２１】
また、処理部６は、検出処理では、操作部３からの操作信号Ｓ２に基づいて、操作部３に対する操作内容（ホールドキー１１が操作されたことなど）を検出すると共に、検出した操作内容に予め対応づけられた動作を実行する。例えば、処理部６は、ホールドキー１１が連続して操作されたときには、ホールドキー１１が操作される都度、測定した新たな照度値ＩＬの表示画面への表示動作（つまり、照度値ＩＬの更新表示動作）と、ホールドキー１１が操作されたときに表示画面に表示されている照度値ＩＬを継続して表示させるという非更新表示動作（測定した新たな照度値ＩＬの表示画面への表示を行わない動作）とを切り替えて実行する。
【００２２】
また、処理部６は、検出した操作内容がメモリ動作の実行キーのときには、例えば、メモリ動作中を示す文字を表示画面に表示させると共に、表示画面に表示されている照度値ＩＬを記憶したり、記憶している照度値ＩＬを表示画面に表示させたりという非更新表示動作を実行する。また、処理部６は、検出した操作内容がタイマー動作（設定された時間を経過した時点での照度値ＩＬを測定する動作）の実行キーのときには、タイマー動作中を示す文字を表示画面に表示させると共に、設定する時間を表示画面に表示させるという非更新表示動作を実行する。また、処理部６は、検出した操作内容がゼロアジャスト動作（照度値ＩＬのゼロ値を調整する動作）の実行キーのときには、ゼロアジャスト動作を示す文字を表示画面に表示させるという非更新表示動作を実行する。また、処理部６は、検出した操作内容が停止キーが操作されたことを示すものであるときには、上記した種々の非更新表示動作（ホールドキー１１が操作されたときの非更新表示動作を含む）を停止して、測定した新たな照度値ＩＬの表示画面への表示動作（つまり、照度値ＩＬの更新表示動作）を実行する。
【００２３】
また、処理部６は、照明制御処理では、後述する種々の条件に基づいて、照明部５に対して点灯状態に移行させる（表示画面の照明を実行させる）制御および消灯状態に移行させる（表示画面の照明を停止させる）制御のいずれかの制御を実行する。
【００２４】
次いで、照度計１の動作について説明する。なお、照度計１の電源が投入されて、照度計１の各構成要素が動作状態にあるものとする。また、操作部３のホールドキー１１は、一度も操作されていないものとする。
【００２５】
この状態において、受光部２は、外部からの光を受光センサでリアルタイムに受光すると共に、受光している光の照度を表す照度信号Ｓ１を出力する。処理部６は、測定処理を繰り返し実行して、受光部２から出力されている照度信号Ｓ１に基づいて、新たな照度（現在の照度を示す照度値ＩＬ）をリアルタイムに測定する。また、処理部６は、新たに測定した照度の照度値ＩＬを表示部４に出力することにより、表示部４に対してその表示画面に照度値ＩＬを更新表示させる表示処理を実行するという動作（更新表示動作）を繰り返し実行する。
【００２６】
また、処理部６は、上記のようにして、測定処理と表示処理とを繰り返し実行しつつ、検出処理についても繰り返し実行して、操作部３から操作信号Ｓ２が出力されたか否か（つまり、ホールドキー１１や、上記した各種の動作のための実行キーや、停止キーに対する操作が行われたか否か）をリアルタイムに検出する。処理部６は、この検出処理において、操作信号Ｓ２の出力を最初に検出するまでの間は、更新表示動作（つまり、測定処理で新たに測定した照度を示す照度値ＩＬを表示部４の表示画面に更新表示させる動作）を実行する。
【００２７】
また、処理部６は、上記のようにして、測定処理、表示処理および検出処理を繰り返し実行しつつ、図２に示す照明制御処理５０についても繰り返し実行する。この照明制御処理５０では、処理部６は、照明部５に対して点灯状態または消灯状態に移行させる制御を実行することで、表示部４の表示画面への照明の実行および照明の停止を制御する。
【００２８】
具体的には、照明制御処理５０では、処理部６は、図２に示すように、まず、更新表示動作中であるか、非更新表示動作中であるかを判別する（ステップ５１）。本例では、処理部６は、ホールドキー１１が操作されたことによって表示画面に表示されている照度値ＩＬを継続して表示させるという非更新表示動作中において、再度、ホールドキー１１が操作されたときに更新表示動作に移行する。また、処理部６は、停止キーが操作されたときにも更新表示動作に移行する。一方、処理部６は、更新表示動作中において、再度、ホールドキー１１が操作されたときに、表示画面に表示されている照度値ＩＬを新たな照度値ＩＬで更新することなく継続して表示させるという非更新表示動作に移行する。また、処理部６は、メモリ動作などの上記の各種の動作を実行させるための実行キーが操作されたときに、各種の動作のための数値や文字を表示させるという非更新表示動作に移行する。
【００２９】
処理部６は、このステップ５１において、上記のような更新表示動作中であると判別したときには、照明部５を消灯状態に制御して（ステップ５５）、ステップ５１に戻る。このように、この照度計１では、処理部６が、繰り返し実行している測定処理において測定された新たな照度を示す照度値ＩＬを表示部４の表示画面に更新表示させる更新表示動作中において、照明部５を常に消灯状態にしておくことができる。これにより、この照度計１では、照明部５からの光が受光部２に入光している状態で測定された照度値ＩＬ（誤った照度値ＩＬ）が表示部４に表示されるという誤測定を確実に防止することが可能になっている。
【００３０】
また、処理部６は、ステップ５１において、非更新表示動作中であると判別したときには、測定処理において新たに測定した照度の照度値ＩＬ（現在の照度値ＩＬ）と、予め規定された第１しきい値ＩＬｒ１とを比較して、照度値ＩＬが第１しきい値ＩＬｒ１以下であるか否かを判別する（ステップ５２）。この場合、第１しきい値ＩＬｒ１は、一例として、照度計１の周囲の明るさが、操作者が表示部４の表示画面に表示されている照度値ＩＬを視認し得るぎりぎりの明るさのときに、処理部６が測定処理において測定する照度値ＩＬと一致するように予め規定されている。なお、後述する第２しきい値ＩＬｒ２は、この第１しきい値ＩＬｒ１よりも若干大きい値（つまり、明るい値）に予め規定されている。
【００３１】
このステップ５２での判別の結果、照度値ＩＬが第１しきい値ＩＬｒ１よりも大きいと判別したときには、処理部６は、次に、照度値ＩＬが第２しきい値ＩＬｒ２（＞第１しきい値ＩＬｒ１）以上であるか否かを判別する（ステップ５３）。このステップ５３での判別の結果、照度値ＩＬが第２しきい値ＩＬｒ２未満のとき（つまり、ＩＬｒ２＞ＩＬ＞ＩＬｒ１のとき）には、照度値ＩＬが第１しきい値ＩＬｒ１よりも高いことには変わりはなく、照度計１の周囲の明るさは、操作者が表示部４の表示画面に表示されている照度値ＩＬを視認し得る明るさである。この場合、処理部６は、照明部５に対して、照明部５の点灯・消灯状態を現在の状態（この場合には、消灯状態）に維持する制御を実行して（ステップ５４）、ステップ５１に移行する。
【００３２】
また、上記のステップ５３での判別の結果、照度値ＩＬが第２しきい値ＩＬｒ２以上のとき（つまり、ＩＬ≧ＩＬｒ２のとき）には、照度値ＩＬが、第１しきい値ＩＬｒ１よりも高い第２しきい値ＩＬｒ２以上であることから、照度計１の周囲の明るさは、操作者が表示部４の表示画面に表示されている照度値ＩＬを十分に視認し得る明るさである。このため、処理部６は、照明部５に対して消灯状態に移行させる制御を実行して（ステップ５５）、ステップ５１に移行する。
【００３３】
一方、上記のステップ５２での判別の結果、照度値ＩＬが第１しきい値ＩＬｒ１以下であると判別したときには、処理部６は、照明部５に対して点灯状態に移行させる制御を実行して（ステップ５６）、ステップ５１に移行する。このように、照度値ＩＬが第１しきい値ＩＬｒ１以下のとき、すなわち、照度計１の周囲の明るさが、操作者が表示部４の表示画面に表示されている照度値ＩＬを視認し得るぎりぎりの明るさ以下の明るさ（照度値ＩＬの視認が容易でない明るさ）のときには、処理部６によって照明部５が自動的に点灯される。このため、操作者は、照度計１の周囲の明るさが照度値ＩＬを容易に視認することができない明るさのときであっても、照明部５からの照明により、表示部４の表示画面に表示されている照度値ＩＬを容易に視認することが可能になっている。
【００３４】
また、上記したように、処理部６は、非更新表示動作のとき（所望のタイミングでの照度の測定が完了して、このタイミングでの照度値ＩＬが表示画面に更新されずに表示されている状態のとき。つまり、測定処理において測定された新たな照度を示す照度値ＩＬを表示部４の表示画面に更新表示させていないとき）にのみ、照明部５を点灯状態に制御するため、照明部５の光が、照度計１による照度の測定に悪影響を与える（上記のような誤測定を招く）事態の発生を確実に防止することが可能になっている。
【００３５】
なお、照明部５が点灯状態に制御されている状態において、照度計１の周囲が明るくなり、処理部６が測定処理で測定している照度の照度値ＩＬが第１しきい値ＩＬｒ１を超える状態になったときには、処理部６は、ステップ５２において、照度値ＩＬが第１しきい値ＩＬｒ１以下ではない判別して、ステップ５３に移行する。この場合、照度計１の周囲の明るさが、処理部６が測定処理で測定している照度の照度値ＩＬが第２しきい値ＩＬｒ２以上となる明るさになるまでは、処理部６は、ステップ５４に移行して、照明部５に対して、照明部５の点灯・消灯状態を現在の状態（この場合には、点灯状態）に維持する制御を実行し、照度計１の周囲の明るさが、測定している照度の照度値ＩＬが第２しきい値ＩＬｒ２以上となる明るさに達して初めて、処理部６は、ステップ５５に移行して、照明部５に対して消灯状態に移行させる制御を実行する。
【００３６】
これにより、この照度計１では、照度計１の周囲の明るさが、測定している照度の照度値ＩＬが第１しきい値ＩＬｒ１以下となる明るさまで低下し、これによって処理部６が照明部５を点灯状態に制御している状態において、照度計１の周囲の明るさが若干ばらついて、測定している照度の照度値ＩＬが第１しきい値ＩＬｒ１を超えたり、第１しきい値ＩＬｒ１以下となったりする状態が繰り返されたとしても、測定している照度の照度値ＩＬが第２しきい値ＩＬｒ２以上になるまでは、照明部５は点灯状態に維持される。このため、照度計１の周囲の明るさのばらつきに起因して、照明部５が点灯・消灯を短時間に繰り返すといった好ましくない状態の発生を回避することが可能になっている。
【００３７】
このように、この照度計１では、処理部６が、非更新表示動作中（一例として、ホールドキー１１の操作のタイミングでの照度値ＩＬが表示画面に更新されずに表示されている状態のときなどの、新たな照度値ＩＬが表示画面に更新表示されない状態のとき）で、かつ測定処理において新たに測定した照度の照度値ＩＬが第１しきい値ＩＬｒ１以下の状態のときに照明部５に対して点灯状態に移行させる照明制御処理を実行する。
【００３８】
したがって、この照度計１によれば、照度計１の周囲の明るさが、操作者が表示部４の表示画面に表示されている照度値ＩＬを視認し得るぎりぎりの明るさに低下したときに、非更新表示動作中であれば、照明のための操作を手動で行うことなく、表示画面を照明部５によって自動的に照明することができる。これにより、この照度計１によれば、ホールドキー１１の操作のタイミングでの照度値ＩＬが表示部４の表示画面に更新されずに表示されている非更新表示動作中においては、照度計１の周囲の明るさが低下した場合であっても、この照度値ＩＬを確実に視認することができる。また、メモリ動作、タイマー動作およびゼロアジャスト動作などの各種の動作中に表示される数値や文字などが表示部４の表示画面に表示されている非更新表示動作中においては、照度計１の周囲の明るさが低下した場合であっても、これら各種の動作のための数値や文字を確実に視認することができる。また、この照度計１によれば、照度計の基本構成である受光部２を利用して、照明部５に対する点灯・消灯の制御を実行することができるため、周囲の明るさを検出するための光センサを別途設ける必要がない結果、製造コストを増加させることなく照度計１を製造することができる。
【００３９】
また、この照度計１によれば、処理部６が第１しきい値ＩＬｒ１および第２しきい値ＩＬｒ２の２つのしきい値と、測定されている現在の照度を示す照度値ＩＬとの比較に基づいて、照明部５に対する点灯・消灯の制御を実行することにより、照度値ＩＬが第１しきい値ＩＬｒ１以下となって照明部５が点灯された状態において、照度計１の周囲の明るさが若干ばらついたとしても、測定している照度の照度値ＩＬが第２しきい値ＩＬｒ２以上になるまでは、照明部５を点灯状態に安定して維持することができる。このため、照度計１の周囲の明るさのばらつきに起因して、照明部５が点灯・消灯を短時間に繰り返すといった好ましくない状態の発生を回避することができる。
【００４０】
また、この照度計１によれば、処理部６が更新表示動作を開始したときに照明部５を消灯させる制御を実行するため、照明部５からの受光部２への光の漏れ込みを防止して照度値ＩＬを正確に測定することができる。
【００４１】
なお、上記の照度計１では、処理部６が第１しきい値ＩＬｒ１および第２しきい値ＩＬｒ２の２つのしきい値に基づいて、照明部５に対する点灯・消灯の制御を実行する好ましい構成を採用しているが、照度値ＩＬが第１しきい値ＩＬｒ１以下となって照明部５が点灯された後において、照度計１の周囲の明るさが若干ばらついたときに、照明部５の点灯状態が若干不安定（点灯状態と消灯状態とが短時間に交互に発生する状態）になったとしても、このような状態が許容できる場合には、１つのしきい値（第１しきい値ＩＬｒ１）に基づいて、照明部５の点灯・消灯状態を制御する構成を採用することもできる。
【符号の説明】
【００４２】
１  照度計
２  受光部
３  操作部
４  表示部
５  照明部
６  処理部
１１  ホールドキー
ＩＬ  照度値
【図１】
2015224913.tif 000003
【図２】
2015224913.tif 000004